(57)【要約】【課題】冷却機能を有するネクタイを首周りに直接当てることにより、使用者に冷涼感を直に感じさせることを可能にする。【解決手段】Ｙシャツセット１は、Ｙシャツ１０とネクタイ２０とからなり、Ｙシャツ１０の台襟１２は、長手方向の両端部にスリット１６を有し、ネクタイ２０は、端部の大剣部及び小剣部と中央部の中継ぎ部２６とからなり、中継ぎ部２６は、両端部に取り付けた雌バックルと、吸湿速乾性部材によって形成されかつ使用者の首周りに配置される首周り部２８と、首周り部２８の中央部に配置されかつ内部に冷却ポリマを収納する冷却部３２とを有し、中継ぎ部２６を台襟１２において使用者の首周りに対向する面に配置して、雌バックルをスリット１６に通すことによって、中継ぎ部２６を台襟１２に取り付ける。そして、大剣部及び小剣部の雄バックルを雌バックルに連結する。【選択図】図１
2013142211.tif 000002
【特許請求の範囲】
【請求項１】
シャツとネクタイとからなるシャツセットにおいて、
前記シャツは、使用者の首周りに配置される台襟及び当該台襟の上部に延出し、当該上部において二つ折りすることによって前記台襟を覆うカラーとを有し、
前記台襟は、長手方向の両端部にスリットを有し、
前記ネクタイは、結び目を形成する結び目部と、使用者の首周りに配置される中央の中継ぎ部とからなり、
前記結び目部は、前記中継ぎ部の両端に連結する連結部を有し、
前記中継ぎ部は、両端部に取り付けられかつ前記連結部と着脱自在に連結する被連結部と、吸湿速乾性部材によって形成されかつ使用者の首周りに配置される首周り部と、当該首周り部の中央部に配置されかつ内部に冷却ポリマを収納する冷却部とを有し、
前記中継ぎ部を前記台襟において使用者の首周りに対向する面に配置して、前記被連結部を前記スリットに通すことによって、前記中継ぎ部を前記台襟に取り付けることを特徴とするシャツセット。
【請求項２】
前記中継ぎ部は、前記首周り部の両端部に伸縮部を備え、当該伸縮部に前記被連結部を取り付けることを特徴とする請求項１記載のシャツセット。
【発明の詳細な説明】
【技術分野】
【０００１】
本発明は、シャツとネクタイとからなるシャツセットに関する。
【背景技術】
【０００２】
近年、夏期において、所謂クールビズと称される衣服の軽装化キャンペーンが環境省を中心に推進されている。ここでいうクールビズとは、ネクタイや上着をなるべく着用しないことを指す。しかし、現実には、ネクタイを締めた方が無難な場合が多く、重要な仕事や冠婚葬祭等、どうしてもネクタイを締めなければならない場面も存在する。
【０００３】
ところで、夏期において、ネクタイを締めると首周りが熱くなり、発汗することによってＹシャツの襟周りが濡れた状態となって、ネクタイの使用者が不快に感じるおそれがある。そこで、従来、ネクタイ等の首巻き具の中央部分の袋状部を形成し、この袋状部に高吸水性ポリマを充填することにより、首巻き具に冷却機能を持たせるものが提案されている（特許文献１）。
【先行技術文献】
【特許文献】
【０００４】
【特許文献１】実開平２−８５７３号公報
【発明の概要】
【発明が解決しようとする課題】
【０００５】
しかしながら、ネクタイは、Ｙシャツのカラーと台襟との間に配置されるために、ネクタイが首に直接に触れることがない。このため、ネクタイに冷却機能を持たせても、使用者の首周りを直に冷やすことは難しく、使用者はすぐに冷涼感を得ることができない。その一方で、ネクタイを使用者の首周りに直接当てるような使用方法は、ネクタイの両端部をカラーと台襟との間から延ばすことができないため、ネクタイの本来の使用方法ではない。
【０００６】
そこで本発明は、このような問題を解決し、冷却機能を有するネクタイを首周りに直接当てることを実現したシャツセットを提供することを目的とする。
【課題を解決するための手段】
【０００７】
前記目的を達成するため、本発明は、次に記載する構成を備える。
【０００８】
（１）  シャツとネクタイとからなるシャツセットにおいて、前記シャツは、使用者の首周りに配置される台襟及び当該台襟の上部に延出し、当該上部において二つ折りすることによって前記台襟を覆うカラーとを有し、前記台襟は、長手方向の両端部にスリットを有し、前記ネクタイは、結び目を形成する結び目部と、使用者の首周りに配置される中央の中継ぎ部とからなり、前記結び目部は、前記中継ぎ部の両端に連結する連結部を有し、前記中継ぎ部は、両端部に取り付けられかつ前記連結部と着脱自在に連結する被連結部と、吸湿速乾性部材によって形成されかつ使用者の首周りに配置される首周り部と、当該首周り部の中央部に配置されかつ内部に冷却ポリマを収納する冷却部とを有し、前記中継ぎ部を前記台襟において使用者の首周りに対向する面に配置して、前記被連結部を前記スリットに通すことによって、前記中継ぎ部を前記台襟に取り付けることを特徴とするシャツセット。
【０００９】
（１）によれば、使用者がシャツを着用してネクタイを締めた場合に、冷却部が使用者の首に直接的に触れるようになる。このため、使用者に冷涼感を直に感じさせることが可能になる。更に、首周りに吸湿速乾素材を配置したことにより、吸湿速乾素材によって汗や湿気が取り込まれ、蒸発することにより首周りの熱を奪うという、所謂気化熱作用により、汗や湿気を清涼感に変えることが可能になる。更に、結び目部を中継ぎ部から取り外すことが可能であるため、結び目部を取り外し、台襟を軽く振って中継ぎ部に空気を送り込むことによって、冷却部による冷却機能を取り戻すことが可能である。更に、必要に応じて、冷却部を水に浸すことにより、簡単に冷却機能を復活させることが可能になる。
【００１０】
（２）  （１）において、前記中継ぎ部は、前記首周り部の両端部に伸縮部を備え、当該伸縮部に前記被連結部を取り付けることを特徴とするシャツセット。
【００１１】
（２）によれば、伸縮部を備えたことにより、被連結部の移動範囲に余裕を持たせることが可能になり、スリットに通された被連結部が再びスリットに内部に入り込むことを防止することができる。
【発明の効果】
【００１２】
本発明によれば、冷却機能を有するネクタイを首周りに直接当てることが可能になり、使用者に冷涼感を直に感じさせることが可能になる。
【図面の簡単な説明】
【００１３】
【図１】本発明の一実施形態におけるＹシャツセットの要部構成を示す説明図である。
【図２】ネクタイの構成を示す説明図である。
【図３】本実施形態のＹシャツセットの使用形態を示す説明図である。
【図４】スリットの他構成を示す説明図である。
【発明を実施するための形態】
【００１４】
以下、本発明の一実施形態について図面を参照しながら説明する。
図１は、本発明の一実施形態におけるＹシャツセットの要部構成を示す説明図である。Ｙシャツセット１は、Ｙシャツ１０及びネクタイ２０を備えている。
【００１５】
Ｙシャツ１０は、台襟１２及びカラー１４を備えており、台襟１２は、使用者の首周りに配置される帯状部材であり、カラー１４は、台襟１２の上部に延出し、当該上部において二つ折りすることにより、台襟１２をカバーする略台形の長尺部材である。
【００１６】
Ｙシャツ１０の台襟１２には、台襟１２の長手方向両端部にスリット１６が形成されている。このスリット１６は、台襟１２の長手方向に対して略直角方向に延びる直線状の切り込みであり、カラー１４によって隠れる部位に形成されている。また、スリット１６は、所謂ボタンホール状に形成されており、雄バックル５０（図２参照）が通過可能な長さに設定されている。
【００１７】
図２は、ネクタイの構成を示す説明図である。ネクタイ２０は、大剣部２２、小剣部２４及び中継ぎ部２６によって構成されている。
【００１８】
大剣部２２は、一端部が剣先状に形成された長尺の布体２３、及び布体２３の他端部に取り付けられる連結部に相当する雄バックル５０を備えている。小剣部２４は、一端部が剣先状に形成された長尺の布体２５、及び布体２５の他端部に取り付けられる連結部に相当する雄バックル５０を備えている。ここで、大剣部２２の一端部の剣先は、小剣部２４の他端部の剣先よりも大きく形成されている。なお、大剣部２２の雄バックル５０と小剣部２４の雄バックル５０とは、同一部材である。
【００１９】
中継ぎ部２６は、首周り部２８、伸縮部に相当するゴム部３０、冷却部３２及び被連結部に相当する雌バックル５２、５２を備えている。首周り部２８は、吸湿速乾性部材によって形成された帯状体であり、台襟１２におけるスリット１６、１６間の長さとほぼ同じ長さに設定されている。また、ゴム部３０は、線状のゴムが縫い込まれており、首周り部２８の長尺方向に伸縮可能な帯状部材である。ゴム部３０の一端部は首周り部２８の両端部にそれぞれ連結されており、他端部には雌バックル５２が取り付けられている。すなわち、中継ぎ部２６は両端部に雌バックル５２、５２を備えている。なお、中継ぎ部２６の両端部の雌バックル５２、５２は、同一部材である。
【００２０】
冷却部３２は、水が浸透可能な布地体の内部に冷却ポリマを収納してなる帯状部材であり、中継ぎ部２６の中央部に配置される。ここで、中継ぎ部２６の中央部には冷却部３２を着脱自在に保持する保持部３４が設けられている。保持部３４は、中継ぎ部２６の長手方向に対して垂直方向に延びる２本の細い帯状部材を中継ぎ部２６に取り付けたものである。そして、冷却部３２を２本の細い帯状部材に挿入し、冷却部３２を２本の細い帯状部材によって保持させる。なお、保持部３４の構成についてはこれに限るものではなく、冷却部３２及び中継ぎ部２６に面ファスナやホックを取り付けたり、更には、中継ぎ部２６の中央部を袋状に構成し、この袋状の部分に冷却部３２を装着するように構成してもよい。
【００２１】
雄バックル５０と雌バックル５２とは互いに着脱自在に連結する。そして、中継ぎ部２６の両端部の雌バックル５２、５２に、大剣部２２の雄バックル５０及び小剣部２４の雄バックル５０をそれぞれ連結することにより、一本のネクタイ２０が構成される。
【００２２】
図３は、本実施形態のＹシャツセットの使用形態を示す説明図である。まず、予め使用者は、図２に示すように、中継ぎ部２６の両端部に雌バックル５２、５２を取り付ける。この時、ネクタイ２０の締め心地を考慮して、ゴム部３０の長さを調節しておくことが望ましい。次に、図１に示すように、Ｙシャツ１０の台襟１２の裏面、すなわち使用者の首周りに対向する面に中継ぎ部２６を配置する。次に、雌バックル５２、５２をスリット１６、１６に通して、図３に示すように、雌バックル５２、５２を台襟１２の表側に配置する。
【００２３】
次に、使用者は、雌バックル５２、５２に大剣部２２の雄バックル５０及び小剣部２４の雄バックル５０を挿入して、中継ぎ部２６に大剣部２２及び小剣部２４を連結する。そして、大剣部２２と小剣部２４とを結ぶことによって、ネクタイ２０の装着が完了する。このように、大剣部２２及び小剣部２４は結び目部に相当する。なお、大剣部２２と小剣部２４とを結んだ後は、大剣部２２と小剣部２４とを結んだ状態のまま、雄バックル５０の操作によって中継ぎ部２６から着脱することが可能になる。
【００２４】
このように、ネクタイ２０をＹシャツ１０に装着し、使用者がＹシャツ１０を着用してネクタイ２０を締めた場合に、冷却部３２が使用者の首に直接的に触れるようになる。また、首周りに吸湿速乾性部材からなる首周り部２８が配置され、冷却部３２による冷却機能と首周り部２８による気化熱作用により、使用者が感ずる首周りの汗による不快感を低減することが可能になる。
【００２５】
以上説明したように構成された本実施形態によれば、使用者がＹシャツ１０を着用してネクタイ２０を締めた場合に、冷却部３２が使用者の首に直接的に触れるようになる。このため、使用者に冷涼感を直に感じさせることが可能になる。更に、首周りに吸湿速乾素材からなる首周り部２８を配置したことにより、吸湿速乾素材によって汗や湿気が取り込まれ、蒸発することにより首周りの熱を奪うという、所謂気化熱作用により、汗や湿気を清涼感に変えることが可能になる。更に、大剣部２２と小剣部２４とを結んだ状態のまま、中継ぎ部２６から取り外すことが可能であるため、大剣部２２と小剣部２４とを結んだ状態のまま取り外し、台襟１２を軽く振って中継ぎ部２６に空気を送り込むことによって、冷却部３２による冷却機能を取り戻すことが可能である。また、結んだ状態の大剣部２２及び小剣部２４を再度中継ぎ部２６に取り付けることも容易に可能である。更に、必要に応じて、冷却部３２を水に浸すことにより、簡単に冷却機能を復活させることが可能になる。
【００２６】
また本実施形態によれば、ゴム部３０を備えたことにより、スリット１６に挿入した雌バックル５２の移動範囲に余裕を持たせることが可能になり、雌バックル５２がスリット１６の内部に入り込むことを防止することができる。
【００２７】
以上、本発明の実施形態について説明したが、本発明は、上述した実施形態に限るものではない。例えば、上述した実施形態においては、Ｙシャツ１０とネクタイ２０とのセットであるが、Ｙシャツでなくてもよく、台襟とカラーがある衣類であれば適用可能である。また、ネクタイについても、図２に示すタイプ以外のネクタイ、例えば、蝶ネクタイや紐ネクタイにも適用可能である。また、上述した実施形態においては、ネクタイ２０を構成する大剣部２２、小剣部２４及び中継ぎ部２６の連結にバックルを使用したがそれに限るものではない。例えば、ホック、フック、ボタン、面ファスナ等であってもよい。
【００２８】
また、上述した実施形態においては、予め雌バックル５２を中継ぎ部２６に取り付けてから、雌バックル５２をＹシャツ１０のスリット１６に挿入したが、それに限るものではない。例えば、雌バックル５２を中継ぎ部２６から外しておき、ゴム部３０をＹシャツ１０のスリット１６に挿入して、台襟１２の表に突出したゴム部３０に雌バックル５２を取り付けてもよい。また、上述した実施形態においては、Ｙシャツ１０のスリット１６が直線的な形状であるが、例えば、図４に示すようにＩ字型であってもよい。これにより、雌バックル５２を通しやすくすることができる。
【００２９】
また、中継ぎ部２６における保持部３４の両側部分を、長手方向に伸縮自在に構成してもよい。このように構成することにより、冷却部３２を取り外す際に、スリット１６に雌バックル５２を通した状態のまま中継ぎ部２６を台襟１２から上方に引き出し、中継ぎ部２６を伸長させて冷却部３２を、使用者の頭上を介して使用者の前方に位置付けることが可能になる。これにより、冷却部３２の取り外しが容易に可能になり、冷却部３２を水に浸した後に、中継ぎ部２６に再装着して台襟１２に戻すことも容易に可能になる。
【符号の説明】
【００３０】
１  シャツセット
１０  Ｙシャツ
１２  台襟
１４  カラー
１６  スリット
２０  ネクタイ
２２  大剣部
２３  布体
２４  小剣部
２５  布体
２６  中継ぎ部
２８  首周り部
３０  ゴム部
３２  冷却部
３４  保持部
５０  雄バックル
５２  雌バックル
【図１】
2013142211.tif 000003
【図２】
2013142211.tif 000004
【図３】
2013142211.tif 000005
【図４】
2013142211.tif 000006